(57)【要約】【課題】  表面状態が変化しても原本であるか否かを的確に判定可能とする。【解決手段】  文書の作成に用いる用紙１６には、磁性線材がランダムに漉き込んであり、この用紙が装填される文書情報読取り部２２には、交番磁界を発生する励磁コイル２８と、交番磁界が加えられることによる磁性線材が発するパルス状の応答信号を検知する検知コイル３０を一体にしたアンテナユニット３２が、用紙の予め設定した検知位置に対向するように二次元的に配置している。文書ＩＤを設定するときには、検知位置と、各検知位置で検知コイルで検知する応答信号の強度による用紙情報を取得し、この用紙情報を検知位置に基づいて二次元的に配列したデータを用いる。このデータを用いることにより、文書を的確に識別可能な文書ＩＤを得ることができると共に、用紙の表面に画像等が印刷されたり汚れが付着しても、的確な真偽判定が可能となる。【選択図】        図６
2006257564.tif 000002
【特許請求の範囲】
【請求項１】
識別子を付与する対象のシート体として、
交番磁界が与えられることによりパルス状の応答信号を発する磁性線材をランダムに埋め込んだシート体を用い、
該シート体表面の予め設定した複数の検知位置のそれぞれで、前記応答信号の強度を検知し、
該検知結果を、前記検知位置に基づいて一次元的又は二次元的に配列し、該配列によって得られるデータを、前記対象シート体を特定する識別子に設定することを特徴とするシート体識別子の設定方法。
【請求項２】
記録用紙に画像ないし文字を形成して作成した文書を特定可能とする文書識別子の設定方法であって、
前記記録用紙を、交番磁界が与えられることによりパルス状の応答信号を発する磁性線材をランダムに漉き込んで生成し、
該記録用紙上の予め設定した複数の検知位置のそれぞれで、前記応答信号の強度を検知し、
該検知結果を、前記検知位置に基づいて一次元的又は二次元的に配列し、該配列によって得られるデータを、前記記録用紙を用いて作成する文書の文書識別子に設定することを特徴とする文書識別子の設定方法。
【請求項３】
前記応答信号の検知位置を、前記記録用紙上に仮想した格子の交点としていることを特徴とする請求項２に記載の文書識別子の設定方法。
【請求項４】
交番磁界が与えられることによりパルス状の応答信号を発する磁性線材をランダムに埋め込んだシート体に対して、該シート体を特定可能とする識別子を付与して管理する管理システムであって、
前記交番磁界を発する発信手段及び、
前記シート体状の予め設定されている複数の検知位置での、前記発信手段によって発せられる前記交番磁界に対する前記応答信号の強度を検知する検知手段と、
前記各検知位置での前記検出手段の検知結果に基づいてデータ配列から前記シート体の識別子を設定する設定手段と、
を含むことを特徴とするシート体管理システム。
【請求項５】
前記発信手段をなす励磁コイル及び前記検知手段をなす検知コイルを一体にした検知ユニットを備えたことを特徴とする請求項４に記載のシート体管理システム。
【請求項６】
前記検知手段又は前記検知ユニットを、それぞれが前記シート体の検知位置に対向可能に二次元配列されていることを特徴とする請求項４又は請求項５に記載のシート体管理システム。
【請求項７】
前記設定手段が、前記検知強度の離散値を用いて前記識別子を設定することを特徴とする請求項４から請求項６の何れか１項に記載のシート体管理システム。
【請求項８】
前記設定手段が、前記離散値に基づいたビットデータを用いて前記識別子を設定することを特徴とする請求項７に記載のシート体管理システム。
【請求項９】
前記設定された前記シート体ごとの前記識別子を含むシート体情報を記憶する記憶手段を備えたことを特徴とする請求項４から請求項８の何れか１項に記載のシート体管理システム。
【請求項１０】
新たなシート体に対する前記検知手段の検知結果と、前記記憶手段に記憶されている前記識別子を照合する照合手段を、含むことを特徴とする請求項９に記載のシート体管理システム。
【発明の詳細な説明】
【技術分野】
【０００１】
本発明は、文書が原本であるか否かを認証に係り、詳細には、シート対を特定可能とするシート体識別子の設定方法、文書識別子の設定方法及びシート体管理システムに関する。
【背景技術】
【０００２】
近年、複写機やプリンタの性能向上、パーソナルコンピュータなどの処理性能の向上に伴って、原稿に記録されている画像を高精細で複写可能となっている。これにより、原稿と複写物の見分けがつかないほどの高品質の画像形成が可能となっている。
【０００３】
ところで、原稿と複写物との判別が困難となる画像複写が可能となることにより、紙幣や有価証券のみならず、旅券、各種の権利証書、各種の照明書等の各種の文書が複製される可能性が高まっており、各種の文書が原本であるか否かの真偽を高精度で判定可能とする技術の確立が望まれている。
【０００４】
ここから、紙を漉くときに植物繊維が作り出すランダムなパターン画像を用い、原本のパターン画像の特徴量を抽出して記憶しておき、比較対象の該当特徴量と、記憶している原本の特徴量を比較することにより、比較対象が原本か否かの真偽判定を行う紙識別方法の提案がなされている（例えば、特許文献１参照。）。
【０００５】
また、原本を形成している紙の厚さ斑状態を検出して記憶しておき、比較対象の表面状態と比較することにより、比較対象が原本か否かの真偽判定を行う書類確認方法などの提案がなされている（例えば、特許文献２参照。）。
【特許文献１】特開２００４−１０２５６２号公報
【特許文献２】特開２００４−１４８６１１号公報
【発明の開示】
【発明が解決しようとする課題】
【０００６】
しかしながら、表面状態や植物繊維によるランダムなパターン画像などに基づいた特徴量は、原本を形成している紙を特定することは可能であるが、特徴量として記憶している紙上の部位に画像や文字などが印刷されるなどしたり、また、汚れ等が付着して、原本として特定するための特徴量を光学的に読み取ることができなくなってしまうと、真偽の判別が困難となってしまうという問題がある。
【０００７】
本発明は上記事実に鑑みてなされたものであり、記録用紙などのシート体が原本であるか否かを的確に判定可能とするシート体識別子の設定方法、文書識別子の設定方法及び、シート体管理システムを提供することを目的とする。
【課題を解決するための手段】
【０００８】
上記目的を達成するために本発明は、識別子を付与する対象のシート体として、交番磁界が与えられることによりパルス状の応答信号を発する磁性線材をランダムに埋め込んだシート体を用い、該シート体表面の予め設定した複数の検知位置のそれぞれで、前記応答信号の強度を検知し、該検知結果を、前記検知位置に基づいて一次元的又は二次元的に配列し、該配列によって得られるデータを、前記対象シート体を特定する識別子に設定することを特徴とする。
【０００９】
この発明によれば、バルクハウゼン効果を用いて、シート体にランダムに埋め込んだ磁性線材の応答信号の強度を、シート体上に予め設定している複数位置で検知する。
【００１０】
シート体に埋め込まれる磁性線材が発するパルス状の応答信号は、検知位置と磁性線材の距離などによって強度が変化する。また、磁性線材をランダムに埋め込むことにより、シート体が異なれば、同じ位置であっても応答信号の強度は変化する。
【００１１】
ここから、本発明では、シート体上の予め設定している複数の検知位置での応答信号の強度の配列を、シート体の識別子に設定する。これにより、シート体の表面が汚れるなどして表面状態が変化しても、的確な真偽判定が可能となる。
【００１２】
このような本発明のシート体としては、記録用紙などは勿論、樹脂プレートなどの任意の材質でシート状に形成したものを適用することができる。
【００１３】
本発明の文書識別子の設定方法は、記録用紙に画像ないし文字を形成して作成した文書を特定可能とする文書識別子の設定方法であって、前記記録用紙を、交番磁界が与えられることによりパルス状の応答信号を発する磁性線材をランダムに漉き込んで生成し、該記録用紙上の予め設定した複数の検知位置のそれぞれで、前記応答信号の強度を検知し、該検知結果を、前記検知位置に基づいて一次元的又は二次元的に配列し、該配列によって得られるデータを、前記記録用紙を用いて作成する文書の文書識別子に設定することを特徴とする。
【００１４】
この発明によれば、シート体として記録用紙などの紙材を適用し、磁性線材をランダムに漉き込んだ記録用紙を用いた文書に識別子を設定するときに、記録用紙の識別子を用いる。
【００１５】
これにより、文書に新たな書込みがなされたり、汚れが付着するなどしても、的確な真偽の認証が可能となる。
【００１６】
このような本発明では、前記応答信号の検知位置を、前記記録用紙上に仮想した格子の交点とすることができる。すなわち、縦横に所定の間隔で検知位置を設定して、それぞれの検知位置での応答信号の強度を用いて、識別子を設定しており、これにより、識別子の設定は勿論、的確な認証も可能となる。
【００１７】
このような本発明が適用されるシート体管理システムは、交番磁界が与えられることによりパルス状の応答信号を発する磁性線材をランダムに埋め込んだシート体に対して、該シート体を特定可能とする識別子を付与して管理する管理システムであって、前記交番磁界を発する発信手段及び、前記シート体状の予め設定されている複数の検知位置での、前記発信手段によって発せられる前記交番磁界に対する前記応答信号の強度を検知する検知手段と、前記各検知位置での前記検出手段の検知結果に基づいてデータ配列から前記シート体の識別子を設定する設定手段と、を含むものであれば良い。
【００１８】
また、本発明のシート体管理システムは、前記発信手段をなす励磁コイル及び前記検知手段をなす検知コイルを一体にしたコイルユニットを備えることができ、また、前記検知手段又は前記検知ユニットを、それぞれが前記シート体の検知位置に対向可能に二次元配列されていても良い。
【００１９】
さらに、本発明は、前記設定手段が、前記検知強度の離散値を用いて前記識別子を設定することが好ましく、また、前記設定手段が、前記離散値に基づいたビットデータを用いて前記識別子を設定することがより好ましい。
【００２０】
このようにして検知したデータに対する処理を行うことにより、測定条件にかかわらず一定のデータ配列を得ることができるので、的確に認証可能となる識別子が得られる。
【００２１】
また、本発明は、前記設定された前記シート体ごとの前記識別子を含むシート体情報を記憶する記憶手段を備えることが好ましく、さらに、新たなシート体に対する前記検知手段の検知結果と、前記記憶手段に記憶されている前記識別子を照合する照合手段を、含むものであれば良い。
【発明の効果】
【００２２】
以上説明したように本発明によれば、磁性線材をランダムに埋め込んでいるシート対上の予め設定した複数の検知位置で、交番磁界に対する応答信号の強度を検知し、検知位置及び検知した応答信号の強度に基づいて識別子を設定するので、シート体の表面状態に変化が生じても、的確な真偽判定が可能となるという優れ効果が得られる。
【発明を実施するための最良の形態】
【００２３】
以下に図面を参照しながら本発明の実施の形態を説明する。図１には、本実施の形態に適用した文書管理システム１０の概略構成を示している。
【００２４】
この文書管理システム１０には、文書登録装置１２と共に、多数の複写装置１４によって形成されており、文書管理システム１０では、文書登録装置１２と複写装置１４のそれぞれを、ネットワーク接続するなどして、データ交換が可能となるようにしている。
【００２５】
なお、文書登録装置１２と複写装置１４の接続は、これに限らず、少なくとも文書登録装置１２から各複写装置１４へデータ伝送が可能であればよく、好ましくは相互にデータ伝送が可能であればよく、これを達成できる構成であれば任意の構成を適用することができる。
【００２６】
文書登録装置１２では、所定サイズの用紙１６に画像や文字などを印刷して形成した文書１８を原本として登録する。このとき、文書登録装置１２では、登録する文書１８ごとに文書識別子（以下、文書ＩＤとする）を設定して、この文書ＩＤを用い、複写装置１４による複写制限管理が可能となるようにしている。
【００２７】
図２には、本実施の形態にシート体として適用した記録用紙（以下、用紙１６とする）の概略構成を示している。なお、本実施の形態では、シート体として記録用紙を用いて説明するが、本発明は、これに限らず、樹脂プレート、アルミ箔、アルミ板など、磁化されていない任意の材質の部材をシート状に形成したシート体に適用することができる。
【００２８】
用紙１６は、一般的手法で所定の厚さで漉かれて生成された、例えばＰＰＣ（Plain  Paper  Copier）用紙などを適用することができる。
【００２９】
また、この用紙１６には、磁性材料によって形成した微小径でランダムな長さの線材（以下、磁性線材２０とする）がランダムに漉き込まれている。この磁性材料２０としては、線径が３０μｍ以上（半径が１５μｍ以上）であることが好ましく、例えば、用紙１６の厚さが８０μｍ程度であるときには、４０μｍ程度とすることにより、磁性線材２０が用紙１６の表面に凸部を生じさせてしまうことがなく、磁性線材２０が目立たなくなり、用紙１６内に磁性線材２０が漉き込まれているのを目視での判断が難しくなるために好ましい。
【００３０】
また、磁性線材２０の長さは、バルクハウゼン効果を用いて検出可能とするために、５ｍｍ以上、好ましくは、１５ｍｍ程度の任意の長さを適用することができる。なお、５ｍｍ以下では、磁性線材２０と見なさいものとしても良い。
【００３１】
さらに、磁性線材２０としては、Co−Fe−Ni−Ｂ−Siからなるアモルファスシリコンなど、保持力が低い任意の磁性材料を用いて形成することができる。
【００３２】
用紙１６では、所定長さ（例えば、１５mm程度）の任意の長さの多数の磁性線材２０がランダムに漉き込まれていることにより、磁性線材２０の配置が同じものが存在する確率が極めて低くなっている。すなわち、磁性線材の長さ、配置位置、配列が実質的に同じものが生じないとみなすことができる。
【００３３】
図１に示すように、文書登録装置１２は、文書情報読取り部２２と、文書情報読取り部２２で読み取った文書情報（用紙情報）に対して所定の処理を施す情報処理部２４を含んで形成されている。
【００３４】
この情報処理部２４としては、パーソナルコンピュータやワークステーションなど、予め記憶しているプログラムに基づいた各種の処理が可能であれば、任意の構成の情報処理装置を適用することができる。
【００３５】
また、文書情報読取り部２２は、文書１８に形成されている画像を読み取るスキャナ機能を含んでも良く、さらに、用紙１６に所定の画像や文字等を形成する印刷機能を備えた複合機などに、文書情報読取り機能を付加したものなどを適用することができる。
【００３６】
文書情報読取り部２２では、バルクハウゼン効果を利用して文書１８の用紙１６に漉き込まれている磁性線材２０の配列に基づいた情報（以下、用紙情報とする）を取得する。
【００３７】
すなわち、磁性線材２０は、保持力が比較的小さく、このためにヒシテリシスループが略矩形状となっており（図示省略）、急峻な磁化反転が生じるようになっている。文書情報読取り部２２では、このような磁性線材２０が漉き込まれている用紙１６に、図３（A）に示す如き交番磁界を与える。磁性線材２０は、交番磁界が与えられることにより、図３（Ｂ）に示すように、磁化反転ポイントＨＰで磁化反転を生じるとき、パルス状の応答信号（磁気ノイズ）を発生する。
【００３８】
文書情報読取り部２２では、予め設定している用紙１６の二次元上の位置で磁性線材２０の発する応答信号を検出して（例えば電圧変化として検出）、強度配列を用紙情報として出力する。
【００３９】
図４には、このような文書情報読取り部２２の概略構成を示している。文書情報読取り部２２では、交番磁界の発生に用いる電源（例えば、交流電源）２６が設けられている。また、文書情報読取り部２２には、電源２６から供給される電力によって交番磁界を発生するアンテナとなる励磁コイル２８及び、磁性線材２０が発生する放蕩信号を検知する検知アンテナとなる検知コイル３０からなる複数のアンテナユニット３２が設けられている。
【００４０】
文書情報読取り部２２では、電源２６から交流電力を各励磁コイル２８へ供給することにより、励磁コイル２８のそれぞれで交番磁界を発生させるようになっている。また、検知コイル３０には、対応する励磁コイル２８によって発生される交番磁界に応じた電流が誘起される。このとき、励磁コイル２８が、用紙１６の磁性線材２０に対向し、交番磁界によって磁性線材２０がパルス状の応答信号を発生することにより、この応答信号に応じた電流が誘起されるようになっている。
【００４１】
文書情報読取り部２２には、検知コイル３０のそれぞれに対応して、ハイパスフィルタ（ＨＰＦ）３４、積分器３６及びＡ／Ｄ変換器３８が設けられている。なお、ここでは、ＨＰＦ３４、積分器３６及びＡ／Ｄ変換器３８を個別に図示せずに、それぞれを一括して図示している。
【００４２】
検知コイル３０のそれぞれに誘起される電流は、ＨＰＦ３４に入力されるようになっており、ＨＰＦ３２のそれぞれでは、入力された電流から低周波数成分を除去している。電源２６の周波数は、磁性線材２０が発する応答信号の周波数よりも低くなっており、ＨＰＦ３４では、電源２６の周波数成分を除去して、応答信号成分のみを通過させるようにしている。
【００４３】
積分器３６のそれぞれでは、ＨＰＦ３４を通過した電流を積分処理し、Ａ／Ｄ変換器３８は、積分処理された電気信号をＡ／Ｄ変換する。これにより、検知コイル３０で検知した電流に、磁性線材２０から発生される応答信号が含まれることにより、該応答信号の強度に応じた電圧が、デジタルデータとして出力される。
【００４４】
一方、文書情報読取り部２２では、例えば、図５に示されるように、プラテンガラス４０と、プラテンガラス４０の上面側を覆う原稿カバー４２を備えており、用紙情報を読み込むときには、プラテンガラス４０上の所定位置に用紙１６又は、用紙１６を用いた文書１８（以下、総称して用紙１６とする）を配置して、原稿カバー４２によって覆うようになっている。
【００４５】
図６に示すように、原稿カバー４２には、プラテンガラス４０側の面に、アンテナユニット３２が配置されている。
【００４６】
このアンテナユニット３２は、用紙１６に対向する領域内に、予め設定している一定の間隔で配置されている。これにより、文書情報読取り部２２に用紙１６を配置したときに、用紙１６の表面に対して一定間隔でアンテナユニット３２が対向するようになっている。なお、このようなアンテナユニット３２は、例えば、２０ｍｍ程度の大きさで形成することができ、ここから、アンテナユニット３２は、例えば、３０ｍｍ程度の間隔で配列することができる。
【００４７】
用紙１６は、プラテンガラス４０上で予め設定した基準位置に合わせて配置されることにより、一定位置がアンテナユニット３２に対向するようになっている。
【００４８】
これにより、例えば、図６の紙面右上を原点Ｏ（０、０）とすると、各アンテナユニット３２の中心点の点Ｐｘｙの座標を、Ｐ11（ｘ1、ｙ1）〜Ｐ1m（ｘ1、ｙm）、・・、Ｐn1（ｘn、ｙ1）〜Ｐnm（ｘn、ｙm）とすることができ、この点Ｐ11〜Ｐnmが、用紙１６上の座標位置となる。
【００４９】
一方、各アンテナユニット３２では、対向するか近接している磁性線材２０（図６では図示省略、図２参照）の数、それぞれの磁性線材２０ごとの点Ｐxyに対する位置、傾き及び磁性線材２０の長さによって、検知する応答信号のレベル（強度）が異なる。
【００５０】
また、各アンテナユニット３２で検知する応答信号のレベルは、用紙１６ごとに異なり、同じ用紙１６であれば、それぞれのアンテナユニット３２で検知する応答信号のレベルが同じとなる。
【００５１】
文書情報読取り部２２では、各アンテナユニット３２の検知コイル３０で検知される応答信号の強度に応じた電圧を出力する。すなわち、点Ｐnmに対応する位置での、用紙１６上での磁性線材２０に基づいた用紙情報が得られる。
【００５２】
ここで、情報処理部２４では、文書情報読取り部２２から出力（用紙情報）から得られたデータが全て「０」であるときには、該当用紙１６又は文書１８が、登録すべき用紙１６又は文書１８でないと判断する。
【００５３】
これに対して、点Ｐxyの何れかの電圧Ｖxyが、磁性線材２０によって大きなレベルとなっているとき（例えば、磁性線材２０が存在していると判断できるように予め設定している値以上）には、該当用紙１６又は文書１８の登録を行う。
【００５４】
情報処理部２４では、文書情報読取り部２２から入力される点Ｐxy（ただし、ｘは１〜ｎ、ｙは１〜ｍ）ごとの電圧Ｖxyを、用紙１６ごとの二次元配列のデータ（２次元ベクトル）とし、文書１８（文書１８を形成している用紙１６）を特定する文書ＩＤを生成する。
【００５５】
点Ｐxyごとに得られるデータの配列は、
Ｖ11、Ｖ12、・  ・、Ｖ1m
Ｖ21、Ｖ22、・  ・、Ｖ2m
・・  ・  ・  ・  ・  ・
Ｖn1、Ｖn2、・  ・、Ｖnm
となる。文書管理システム１０では、このデータの配列を文書ＩＤに設定する。
【００５６】
なお、電圧Ｖxyの最大値を１として得られたデータを正規化し、０〜１の実数値で保持するようにしても良い。これにより、例えば、図７（Ａ）に示すデータを文書ＩＤとして用いることができる。
【００５７】
また、閾値を設定しておき、離散値に対して、この閾値を越えるときに「１」、閾値に満たないときに「０」となるように設定しても良く、これにより、例えば、閾値を０．８とすると、図７（Ａ）に示す文書ＩＤから、図７（Ｂ）に示すビットデータで形成することができる。
【００５８】
このようにしてデータ処理を行うことにより、検知条件にかかわらず一定の値のデータを得ることができる。すなわち、文書情報読取り部２２で読取りを行うときの電源２６の電圧、交番磁界の周期（電源周波数）などの測定条件によって得られる値が異なるが、離散値を用いることにより、測定条件にかかわらず略一定の値を得ることができ、また、ビットデータとすることにより、データ量の削減や設定した文書ＩＤを用いた照合処理などが容易となる。
【００５９】
なお、ここでは、応答信号の二次元配列を文書ＩＤとするが、一次元に変換して、一次元のデータを文書ＩＤとしても良い。
【００６０】
一方、図１に示すように、情報処理部２４には、管理データ記憶部４６が設けられており、情報処理部２４では、用紙１６又は文書１８が登録すべきものであると判断したときには、文書１８に関する情報と共に、設定した文書ＩＤを、管理データ記憶部４６に格納して、文書１８の登録を行うようにしている。
【００６１】
一方、文書管理システム１０に設けている複写装置１４には、スキャナ部４８とプリント部５０が含まれており、スキャナ部４８で原稿に記録された画像を読み込んで、画像データを生成し、この画像データをプリント部５０へ出力することにより、画像データに応じた画像を用紙１６などに形成して出力することができる。
【００６２】
このような複写装置１４としては、プリンタ機能を備えたものであっても良く、このときには、パーソナルコンピュータなどの画像処理装置から入力される画像データに応じた画像の印刷出力を行うものであっても良い。
【００６３】
この複写装置１４のスキャナ部４８には、文書情報読取り部５２及び、複写制御部５４が設けられている。
【００６４】
文書読取り部５２は、前記した文書情報読取り部２２と同じ構成を適用することができる（図４、図５参照）。すなわち、スキャナ部４８に設けている原稿カバー４２に、アンテナユニット３２が、所定間隔で配置され、用紙１６を基準位置に合わせて装填することより、用紙１６上の点Ｐｘｙでの、バルクハウゼン効果を用いた応答信号の検出及び、検出した応答信号に基づいた用紙情報の出力が可能となっている。
【００６５】
文書情報読取り部５２では、読み取った用紙情報を、複写制御部５４へ出力する。複写制御部５４では、文書情報読取り部５２から入力された用紙情報に、予め設定しているレベル以上の電圧が含まれるときには、該当用紙１６又は文書１８が、文書管理システム１０に登録されている可能性があると判断して、文書ＩＤの照合を行う。
【００６６】
また、複写制御部５４は、情報処理部２４の管理データ記憶部４６に接続しており、文書ＩＤの照合を行うときには、管理データ記憶部４６に格納している文書１８の文書ＩＤを読み出し、文書情報読取り部５２で読み取った文書を比較する。このとき、文書ＩＤがビットデータであるときには、文書情報読取り部５２から入力された用紙情報を所定の閾値に基づいてビットデータに変換するなどして、用紙情報を文書ＩＤに応じたデータに変換するものであれば良い。
【００６７】
ここで、文書制御部５４では、登録されている文書ＩＤと、文書情報読取り部５２から入力された文書ＩＤが一致すると、文書情報読取り部５２に装填された用紙１６が、登録されている用紙１６（文書１８）であると判断し、この用紙１６に形成されている画像の複写を制限するようにしている。
【００６８】
このように構成されている文書管理システム１０では、例えば、各種の証書などの複写を制限又は禁止する文書１８を作成するときには、磁性線材２０をランダムに漉きこんでいる用紙１６を用い、この用紙１６に所定の画像を形成する。また、用紙１６を用いて作成した文書１８を複写制限対象として登録する。
【００６９】
このときには、登録すべき文書１８又は文書１８の作成に用いる用紙１６（以下、用紙１６とする）を文書情報読取り部２２に装填し、用紙１６から用紙情報を読み込む。
【００７０】
この後、読み込んだ用紙情報から登録可能な用紙であるか否か、すなわち、装填された用紙１６に磁性線材２０が埋め込まれているいるか否かを確認し、用紙１６に埋め込まれた磁性線材２０を検知でき、登録可能な用紙１６であるときに、用紙１６を用いた文書１８の登録を行う。
【００７１】
用紙１６を用いる文書１８の登録は、読み込んだ用紙情報、すなわち、用紙１６にランダムに漉きこんでいる磁性線材２０に基づいた用紙情報から、該当用紙１６を用いて作成している文書１８の文書ＩＤを設定する。
【００７２】
この後、設定した文書ＩＤと共に、文書１８に関する情報などを含めて、管理データ記憶部４６に格納することにより文書登録を行う。
【００７３】
このような文書登録は、用紙１６に画像を形成する前に行っても良く、また、用紙１６に画像を形成した後に行うこともできる。すなわち、文書管理システム１０では、用紙１６に漉きこんでいる磁性材料２０の配列に基づいて文書ＩＤを設定するので、用紙１６上に画像や文字などが記録されていても、的確に用紙情報を読み取ることができるようになっている。
【００７４】
一方、文書管理システム１０に設けている複写装置１４では、任意の文書について登録されている文書１８であるか否かの確認を行うことができる。登録文書であるか否かの確認は、対象文書を文書情報読取り部５２に装填し、文書が形成されている用紙の用紙情報を読み込む。
【００７５】
ここで、対象文書の用紙が、磁性線材２０の漉きこまれていないものであるときには、アンテナユニット３２の何れでも、交番磁界に対する応答信号を検知しない。
【００７６】
これに対して、磁性線材２０が漉き込まれている用紙１６であるときには、文書情報読取り部５２から磁性線材２０の配列に応じた用紙情報が出力されるので、文書情報読取り部５２の出力する用紙情報から、用紙に磁性線材２０が漉き込まれているか否かの判断が可能となっている。
【００７７】
また、複写装置１４では、磁性線材２０が漉き込まれている用紙１６であるときには、対象文書から読み出した用紙情報と、文書登録装置１２の管理データ記憶部４６に格納されている文書ＩＤを比較する。この比較は、複写装置１４から用紙情報を、文書登録装置１２で伝送し、文書登録装置１２の情報処理部２４で行うようにしても良く、また、複写装置１４が、文書登録装置１２の管理データ記憶部４６から文書ＩＤを読み出して行うものであっても良い。
【００７８】
また、用紙情報と文書ＩＤの比較確認は、例えば、文書ＩＤがビットデータであれば、対象文書の用紙情報をビットデータに変換することにより可能となる。
【００７９】
ここで、用紙１６には、ランダムに磁性線材２０が漉きこまれており、このために、用紙情報は、実質的に用紙１６ごとに異なる。
【００８０】
ここから、用紙情報が文書ＩＤと一致するときには、対処文書が登録されている文書１８であると判断することができる。
【００８１】
このような判断がなされたときには、例えば、複写装置１４での文書１８に対する複写処理を禁止したり、また、複写操作を行うユーザーのユーザー認証を行って、その結果に基づいて複写処理が実行されるなどの処理を行うことができる。
【００８２】
これにより、登録されている文書１８を原本とする複写がなされてしまうのを確実に防止することができる。
【００８３】
また、登録されている文書１８であるか否かの的確な特定が可能とであるので、該当文書の出所を的確に判断することができ、機密文書などが意図せずに外部へ流出してしまうのを抑えることができる。
【００８４】
なお、文書登録を行っていない場合、用紙１６に磁性線材２０が漉きこまれているにもかかわらず、用紙情報と一致する文書ＩＤが存在しないことになる。このようなときには、文書登録装置１２が該当文書の用紙情報を取得し、出力した用紙情報から文書ＩＤを作成することにより、該当文書を原稿とした複写履歴を把握することができる。
【００８５】
また、文書管理システム１０では、磁性線材２０が漉き込まれている用紙１６を用い、この用紙１６内の磁性線材２０の配列に基づいて登録されている文書１８であるか否かを確認するようにしているので、例えば、文書１８を登録した後に、汚れが付着したり、また、書込みがなされても、登録されている文書１８であるか否かの的確な判断が可能となる。
【００８６】
なお、以上説明した本実施の形態は、本発明の構成を限定するものではない。例えば、本実施の形態では、所定間隔で二次元上に配置したアンテナユニット３２を用いて用紙情報の読込みを行うようにしたが、本発明は、これに限るものではなく、用紙１６で二次元的に設定したそれぞれの位置で、磁性線材２０が発する応答信号を検知可能とするものであれば任意の構成を適用することができる。
【００８７】
例えば、本実施の形態では、励磁コイル２８と検知コイル３０を一体にしたアンテナユニット３２を用いたが、これに限らず、多数の検知ユニット３０のみを二次元的に配列し、プラテンガラス４０の下面側に一つないし複数の励磁コイルを設けるようにしても良い。このとき、励磁コイルを移動せずに用紙１６の全域に交番磁界を与えることができるようにしても良く、また、励磁コイルを走査移動させて、複数の検知コイルのそれぞれに対応可能となるようにしても良い。
【００８８】
また、用紙１６の縦又は、横方向に沿って所定間隔でアンテナユニット３２を一次元的に配置し、配置方向と直交する方向に走査移動させながら、磁性線材２０の発する応答信号を検知するものであっても良い。
【００８９】
さらに、一つのアンテナユニット３２を用い、該アンテナユニット３２を、用紙１６の縦方向及び横方向のそれぞれに走査移動させながら、磁性線材２０の発する応答信号を検知するようにするなどの種々の構成を適用することができる。
【００９０】
また、本実施の形態では、用紙１６の縦方向及び横方向に沿って所定間隔を置いた位置ごとに磁性線材２０が発する応答信号を検知するようにしたが、応答信号を検知する位置は、予め設定した位置であれば任意の位置及び数を適用することができる。
【００９１】
すなわち、磁性線材２０の発する応答信号を検知するポイントは、多くすることにより、用紙１６の的確な差別が可能となるが、必ずしも一定間隔位置である必要はなく、用紙１６の表面に対して予め設定した位置であれば、任意の位置での応答信号の検知結果を用いて文書ＩＤを作成するものであって良い。
【００９２】
また、本実施の形態では、文書管理システム１０を例に説明したが、本発明はこれに限らず、用紙１６からの磁性線材２０が発する応答信号の読取り、読み取った応答信号に基づいた文書ＩＤの設定、登録及び、登録している文書ＩＤを用いた用紙１６の真偽の照合が可能であれば任意の構成を適用することができる。
【図面の簡単な説明】
【００９３】
【図１】本実施の形態に適用した文書管理システムの概略校正図である。
【図２】用紙への磁性線材の配置の一例を示す概略図である。
【図３】（Ａ）は交番磁界の概略を示す線図、（Ｂ）は（Ａ）の交番磁界に対応する応答信号の概略を示す線図である。
【図４】文書情報読取り部の一例を示す概略構成図である。
【図５】文書情報読取り部の要部の一例を示す概略構成図である。
【図６】アンテナユニットを設けた原稿カバーの概略図である。
【図７】（Ａ）、（Ｂ）は文書ＩＤの一例を示す文字列である。
【符号の説明】
【００９４】
１０    文書管理システム（シート体管理システム）
１２    文書登録装置
１４    複写装置
１６    用紙（記録用紙、シート体）
１８    文書
２０    磁性線材
２２    文書情報読取り部（発信手段、検知手段）
２４    情報処理部（設定手段、照合手段）
２６    電源（発信手段）
２８    励磁コイル（発信手段）
３０    検知コイル（検知手段）
３２    アンテナユニット（検知ユニット）
４６    管理データ記憶部（記録手段）
５２    文書情報読取り部（発信手段、検知手段）
５４    複写制御部（照合手段）
【図１】
2006257564.tif 000003
【図２】
2006257564.tif 000004
【図３】
2006257564.tif 000005
【図４】
2006257564.tif 000006
【図５】
2006257564.tif 000007
【図６】
2006257564.tif 000008
【図７】
2006257564.tif 000009